【手続補正書】
【提出日】平成24年6月6日(2012.6.6)
【手続補正１】
【補正対象書類名】特許請求の範囲
【補正対象項目名】全文
【補正方法】変更
【補正の内容】
【特許請求の範囲】
【請求項１】
線材を繰出すノズルを支持するノズル支持体と、
前記ノズル支持体の離れた少なくとも２箇所の位置にそれぞれ連結され、同じ楕円軌道で同期して旋回する作用部を有する駆動機構と、
を備えた巻線機であって、
前記駆動機構は、
クランクケースと、
前記クランクケースに固定的に配設された内周太陽歯車と、
前記内周太陽歯車に遊星歯車を噛み合わせつつ自転及び公転する遊星歯車部材と、
前記内周太陽歯車の中心線と同軸に回転するように前記クランクケースに配設され、前記遊星歯車部材を自転及び公転可能に支持するクランク部材と
を備え、
前記遊星歯車は、内周太陽歯車のピッチ円直径の２分の１のピッチ円直径を有し、
前記遊星歯車部材は、前記遊星歯車のピッチ円上からずらした位置に前記遊星歯車の自転及び公転に伴って楕円軌道で駆動する作用部を有しており、
前記ノズル支持体と前記駆動機構の作用部との連結構造は、前記ノズル支持体の離れた少なくとも２箇所の位置のうち１箇所は、前記ノズル支持体に対する前記駆動機構の作用部の位置が変わらず、他は前記ノズル支持体に対する前記駆動機構の作用部の位置が変位可能である、巻線機。
【請求項２】
前記ノズル支持体を収容するケーシングを備え、
前記ケーシングは、前記ノズル支持体に支持されたノズルが旋回するノズル旋回空間と、
前記ノズル支持体が旋回する支持体旋回空間と、
前記ノズル旋回空間と前記支持体旋回空間とを仕切るシールとを備えている、請求項１に記載された巻線機。
【請求項３】
線材を繰出すノズルを支持するノズル支持体と、
前記ノズル支持体の離れた少なくとも２箇所の位置にそれぞれ連結され、同じ楕円軌道で同期して旋回する作用部を有する駆動機構と、
を備えた巻線機であって、
前記駆動機構は、
クランクケースと、
前記クランクケースに固定的に配設された内周太陽歯車と、
前記内周太陽歯車に遊星歯車を噛み合わせつつ自転及び公転する遊星歯車部材と、
前記内周太陽歯車の中心線と同軸に回転するように前記クランクケースに配設され、前記遊星歯車部材を自転及び公転可能に支持するクランク部材と
を備え、
前記遊星歯車は、内周太陽歯車のピッチ円直径の２分の１のピッチ円直径を有し、
前記遊星歯車部材は、前記遊星歯車のピッチ円上からずらした位置に前記遊星歯車の自転及び公転に伴って楕円軌道で駆動する作用部を有しており、
前記ノズル支持体を収容するケーシングを備え、
前記ケーシングは、前記ノズル支持体に支持されたノズルが旋回するノズル旋回空間と、
前記ノズル支持体が旋回する支持体旋回空間と、
前記ノズル旋回空間と前記支持体旋回空間とを仕切るシールとを備えている、巻線機。
【請求項４】
前記シールは、環状のシール材を備えており、
前記環状のシール材は、前記ノズル旋回空間を囲むように配設され、ノズル支持体の表面に押し当てられており、
前記環状のシール材のノズル支持体に対向する面は、内側から外側に向かうにつれて、徐々にノズル支持体に近づくように突出したテーパ形状を有している、請求項２または３に記載された巻線機。
【請求項５】
前記ケーシングは、前記ノズル支持体の旋回を支持する滑り支持部を備えている、請求項２から４までの何れか一項に記載された巻線機。
【請求項６】
前記クランク部材は、軸部材であり、前記クランク部材の片側の端面には、前記遊星歯車部材を装着する装着穴が軸方向に形成されており、
当該装着穴の中心軸は、前記クランク部材の回転軸から遊星歯車のピッチ円の半径の距離だけずれた位置に形成されており、
当該装着穴には、軸受を介在させて、前記遊星歯車部材が回動自在に支持されている、請求項１から５までの何れか一項に記載された巻線機。
【請求項７】
前記ノズル支持体を回動させる楕円軌道を補正するガイドを備えた、請求項１から６までの何れか一項に記載された巻線機。
【請求項８】
前記作用部は、前記遊星歯車のピッチ円の内側にずれている、請求項１から７までの何れか一項に記載された巻線機。
【請求項９】
前記作用部は、前記遊星歯車のピッチ円の外側にずれている、請求項１から８までの何れか一項に記載された巻線機。
【請求項１０】
前記遊星歯車部材は、前記遊星歯車部材に作用する遠心力が釣り合い、かつ、前記遊星歯車部材の回転軸上の任意の位置で前記遊星歯車部材に作用する遠心力のモーメントが釣り合い、
前記クランク部材は、前記クランク部材に作用する遠心力が釣り合い、かつ、前記クランク部材の回転軸上の任意の位置で前記クランク部材に作用する遠心力のモーメントが釣り合っている、請求項１から９までの何れか一項に記載された巻線機。
【請求項１１】
前記遊星歯車部材は、
前記作用部が設けられた側の端部に設けられた前記第１カウンターウェイトと、
前記作用部が設けられた位置から軸方向に離れた遊星歯車部材の軸方向の端部に設けられた第１バランサーと、
を有し、
前記第１カウンターウェイトと前記第１バランサーとによって、前記遊星歯車部材に作用する遠心力が釣り合い、かつ、前記遊星歯車部材の回転軸上の任意の位置で前記遊星歯車部材に作用する遠心力のモーメントが釣り合っている、請求項１０に記載された巻線機。
【請求項１２】
前記クランク部材は、軸部材であり、前記クランク部材の片側の端面には、前記遊星歯車部材を装着する装着穴が軸方向に形成されており、
当該装着穴が形成されたクランク部材の端面に設けられた第２カウンターウェイトと、
前記第２カウンターウェイトが設けられた位置から軸方向に離れた位置に設けられた第２バランサーと、
を有し、
前記第２カウンターウェイトと前記第２バランサーとによって、前記クランク部材に作用する遠心力が釣り合い、かつ、前記クランク部材の回転軸上の任意の位置で前記クランク部材に作用する遠心力のモーメントが釣り合っている、請求項１１に記載された巻線機。
【請求項１３】
線材を繰出すノズルを支持するノズル支持体と、
前記ノズル支持体の離れた少なくとも２箇所の位置にそれぞれ連結され、同じ楕円軌道で同期して旋回する作用部を有する駆動機構と、
を備えた巻線機であって、
前記駆動機構は、
クランクケースと、
前記クランクケースに固定的に配設された内周太陽歯車と、
前記内周太陽歯車に遊星歯車を噛み合わせつつ自転及び公転する遊星歯車部材と、
前記内周太陽歯車の中心線と同軸に回転するように前記クランクケースに配設され、前記遊星歯車部材を自転及び公転可能に支持するクランク部材と
を備え、
前記遊星歯車は、内周太陽歯車のピッチ円直径の２分の１のピッチ円直径を有し、
前記遊星歯車部材は、前記遊星歯車のピッチ円上からずらした位置に前記遊星歯車の自転及び公転に伴って楕円軌道で駆動する作用部を有しており、
さらに、
前記遊星歯車部材は、
前記遊星歯車に取り付けられ、前記遊星歯車のピッチ円の中心線に沿って延びた遊星軸を備え、
前記クランク部材は、
前記クランク部材の回転軸から前記遊星歯車のピッチ円直径の２分の１の距離ずれた位置に、前記内周太陽歯車のピッチ円の中心線に沿って形成され、前記遊星軸が回動自在に装着された装着穴を備え、
前記遊星軸は、
前記クランク部材の装着穴から突出しており、
当該クランク部材の装着穴から突出した前記遊星軸の端部に、前記作用部が設けられている、
巻線機。
【請求項１４】
前記遊星歯車部材は、
前記装着穴から突出した部位において、前記作用部から周方向に１８０度ずれた位置に重心を有する第１カウンターウェイトが設けられ、
前記作用部が設けられた端部とは軸方向に反対側の端部に、前記遊星歯車部材に作用する遠心力を釣り合わせ、かつ、前記遊星歯車部材の回転軸上の任意の位置で前記遊星歯車部材に作用する遠心力のモーメントを釣り合わせる第１バランサーを備え、
前記クランク部材は、
前記遊星軸が前記装着穴から突出した部位から周方向に１８０度ずれた位置に重心を有する第２カウンターウェイトが設けられ、
前記遊星軸が前記装着穴から突出した部位とは軸方向に反対側の端部に、前記クランク部材に作用する遠心力が釣り合い、かつ、前記クランク部材の回転軸上の任意の位置で前記クランク部材に作用する遠心力のモーメントを釣り合わせる第２バランサーを備えた、
請求項１３に記載された巻線機。
【請求項１５】
クランクケースと、
前記クランクケースに固定的に配設された内周太陽歯車と、
前記内周太陽歯車に遊星歯車を噛み合わせつつ自転及び公転する遊星歯車部材と、
前記内周太陽歯車の中心線と同軸に回転するように前記クランクケースに配設され、前記遊星歯車部材を自転及び公転可能に支持するクランク部材と
を備え、
前記遊星歯車は、内周太陽歯車のピッチ円直径の２分の１のピッチ円直径を有し、
前記遊星歯車部材は、前記遊星歯車のピッチ円上からずらした位置に前記遊星歯車の自転及び公転に伴って楕円軌道で駆動する作用部を有しており、
さらに、
前記遊星歯車部材は、
前記遊星歯車に取り付けられ、前記遊星歯車のピッチ円の中心線に沿って延びた遊星軸を備え、
前記クランク部材は、
前記クランク部材の回転軸から前記遊星歯車のピッチ円直径の２分の１の距離ずれた位置に、前記内周太陽歯車のピッチ円の中心線に沿って形成され、前記遊星軸が回動自在に装着された装着穴を備え、
前記遊星軸は、
前記クランク部材の装着穴から突出しており、
当該クランク部材の装着穴から突出した前記遊星軸の端部には、動作部材が取り付けられる作用部が設けられている、
クランク装置。
【請求項１６】
前記遊星歯車部材は、
前記装着穴から突出した部位において、前記作用部から周方向に１８０度ずれた位置に重心を有する第１カウンターウェイトが設けられ、
前記作用部が設けられた端部とは軸方向に反対側の端部に、前記遊星歯車部材に作用する遠心力を釣り合わせ、かつ、前記遊星歯車部材の回転軸上の任意の位置で前記遊星歯車部材に作用する遠心力のモーメントを釣り合わせる第１バランサーを備え、
前記クランク部材は、
前記遊星軸が前記装着穴から突出した部位から周方向に１８０度ずれた位置に重心を有する第２カウンターウェイトが設けられ、
前記遊星軸が前記装着穴から突出した部位とは軸方向に反対側の端部に、前記クランク部材に作用する遠心力が釣り合い、かつ、前記クランク部材の回転軸上の任意の位置で前記クランク部材に作用する遠心力のモーメントを釣り合わせる第２バランサーを備えた、
請求項１５に記載されたクランク装置。